(57)【要約】【課題】ポンプの運転計画をより適切に支援することができる運転支援装置、運転支援方法、コンピュータプログラム及び取水システムを提供することである。【解決手段】実施形態の運転支援装置は、運転データ取得部と、特性データ生成部と、電力原単位推定部と、支援データ出力部と、を持つ。運転データ取得部は、複数の水源から取水する複数のポンプの運転データを取得する。特性データ生成部は、過去に取得された前記運転データに基づいて前記複数のポンプのそれぞれについて電力原単位と運転データとの関係性を示す特性データを生成する。電力原単位推定部は、前記特性データと現在の運転データとに基づいて前記複数のポンプのそれぞれの電力原単位の現在値を推定する。支援データ出力部は、前記複数のポンプのそれぞれについて推定された前記電力原単位の現在値に関する支援データを出力する。【選択図】図２
2020144474.tif 000002
【特許請求の範囲】
【請求項１】
複数の水源から取水する複数のポンプの運転データを取得する運転データ取得部と、
過去に取得された前記運転データに基づいて前記複数のポンプのそれぞれについて電力原単位と運転データとの関係性を示す特性データを生成する特性データ生成部と、
前記特性データと現在の運転データとに基づいて前記複数のポンプのそれぞれの電力原単位の現在値を推定する電力原単位推定部と、
前記複数のポンプのそれぞれについて推定された前記電力原単位の現在値に関する支援データを出力する支援データ出力部と、
を備える運転支援装置。
【請求項２】
前記支援データ出力部は、前記複数のポンプのそれぞれについて推定された電力原単位の現在値に基づいて前記複数のポンプに順位づけを行い、前記順位づけの結果に関する支援データを出力する、
請求項１に記載の運転支援装置。
【請求項３】
前記支援データ出力部は、前記複数のポンプのそれぞれについて推定された電力原単位の現在値が、過去の推定値から所定値以上乖離した場合、その旨を示す支援データを出力する、
請求項１又は２に記載の運転支援装置。
【請求項４】
前記特性データ生成部は、前記複数のポンプのそれぞれについて電力原単位と吐出圧力との関係性を示す特性データを生成する、
請求項１から３のいずれか一項に記載の運転支援装置。
【請求項５】
前記特性データ生成部は、前記複数のポンプのそれぞれについて吐出流量の範囲ごとに、前記関係性を示す特性データを生成する、
請求項４に記載の運転支援装置。
【請求項６】
複数の水源から取水する複数のポンプの運転に関する運転データを取得する運転データ取得ステップと、
過去に取得された前記運転データに基づいて前記複数のポンプのそれぞれについて電力原単位と運転データとの関係性を示す特性データを生成する特性データ生成ステップと、
前記特性データと現在の運転データとに基づいて前記複数のポンプのそれぞれの電力原単位の現在値を推定する電力原単位推定ステップと、
前記複数のポンプのそれぞれについて推定された前記電力原単位の現在値に関する支援データを出力する支援データ出力ステップと、
を有する運転支援方法。
【請求項７】
複数の水源から取水する複数のポンプの運転に関する運転データを取得する運転データ取得ステップと、
過去に取得された前記運転データに基づいて前記複数のポンプのそれぞれについて電力原単位と運転データとの関係性を示す特性データを生成する特性データ生成ステップと、
前記特性データと現在の運転データとに基づいて前記複数のポンプのそれぞれの電力原単位の現在値を推定する電力原単位推定ステップと、
前記複数のポンプのそれぞれについて推定された前記電力原単位の現在値に関する支援データを出力する支援データ出力ステップと、
をコンピュータに実行させるためのコンピュータプログラム。
【請求項８】
複数の水源から取水する複数のポンプと、
前記複数のポンプの運転を支援するための情報を示す支援データを出力する運転支援装置と、
を備え、
前記運転支援装置は、
前記複数のポンプの運転に関する運転データを取得する運転データ取得部と、
過去に取得された前記運転データに基づいて前記複数のポンプのそれぞれについて電力原単位と運転データとの関係性を示す特性データを生成する特性データ生成部と、
前記特性データと現在の運転データとに基づいて前記複数のポンプのそれぞれの電力原単位の現在値を推定する電力原単位推定部と、
前記複数のポンプのそれぞれについて推定された前記電力原単位の現在値に関する情報を前記支援データとして出力する支援データ出力部と、
を備える取水システム。
【発明の詳細な説明】
【技術分野】
【０００１】
本発明の実施形態は、運転支援装置、運転支援方法、コンピュータプログラム及び取水システムに関する。
【背景技術】
【０００２】
従来、複数の水源を有する浄水場や配水池等の取水システムでは、予め定めた運転計画に基づいて取水用のポンプのオン・オフを自動制御することが行われている。このような取水システムでは、必要な配水量や水質に応じて、適切な水源から、適時に、適切な量の取水が行われるようにポンプが制御される要がある。しかしながら、複数の水源を有する取水システムでは、配水池の水位や配水ルートなどの様々な要因に起因して配水に係る電力原単位に差が生じることがあり、必ずしも適切なポンプを稼働させることができない場合があった。
【先行技術文献】
【特許文献】
【０００３】
【特許文献１】特開２０１２−１９７６２９号公報
【特許文献２】特開２０１８−０１０４９０号公報
【特許文献３】特開２０１４−１４２７５２号公報
【特許文献４】特許第２８６４７９７号公報
【特許文献５】特開２０１７−１０２１５号公報
【発明の概要】
【発明が解決しようとする課題】
【０００４】
本発明が解決しようとする課題は、ポンプの運転計画をより適切に支援することができる運転支援装置、運転支援方法、コンピュータプログラム及び取水システムを提供することである。
【課題を解決するための手段】
【０００５】
実施形態の運転支援装置は、運転データ取得部と、特性データ生成部と、電力原単位推定部と、支援データ出力部と、を持つ。運転データ取得部は、複数の水源から取水する複数のポンプの運転データを取得する。特性データ生成部は、過去に取得された前記運転データに基づいて前記複数のポンプのそれぞれについて電力原単位と運転データとの関係性を示す特性データを生成する。電力原単位推定部は、前記特性データと現在の運転データとに基づいて前記複数のポンプのそれぞれの電力原単位の現在値を推定する。支援データ出力部は、前記複数のポンプのそれぞれについて推定された前記電力原単位の現在値に関する支援データを出力する。
【図面の簡単な説明】
【０００６】
【図１】第１の実施形態における取水システムのシステム構成の具体例を示す図。
【図２】第１の実施形態の運転支援装置の機能構成の具体例を示すブロック図。
【図３】第１の実施形態の運転支援装置が各ポンプの現在の電力原単位を推定し、その表示データを生成する処理の具体例を示すフローチャート。
【図４】第１の実施形態において取得される特性情報の具体例を示す図。
【図５】第２の実施形態の運転支援装置の機能構成の具体例を示す図。
【図６】第２の実施形態における支援情報の表示例を示す図。
【図７】第３の実施形態の運転支援装置の機能構成の具体例を示すブロック図。
【図８】第３の実施形態における支援情報の表示例を示す図。
【発明を実施するための形態】
【０００７】
以下、実施形態の運転支援装置、運転支援方法、コンピュータプログラム及び取水システムを、図面を参照して説明する。
【０００８】
（第１の実施形態）
図１は、第１の実施形態における取水システムのシステム構成の具体例を示す図である。第１の実施形態における取水システムは、複数の水源と、複数のポンプと、運転支援装置と、を備え、ポンプにより水源から取水した水を配水するシステムである。図１は、複数の水源の一例である水源１−１〜１−Ｍ（Ｍは２以上の整数）と、複数のポンプの一例であるポンプ２−１〜２−Ｍと、ポンプで取水した水を貯留又は浄水処理する施設や設備等の一例である配水池３と、運転支援装置４と、表示装置５と、を備えた取水システム１００の構成例を示す。
【０００９】
例えば、水源１−１〜１−Ｍは、井戸や河川、貯水池等の取水源である。ポンプ２−１〜２−Ｍは、水源１−１〜１−Ｍのそれぞれに対応して設けられた取水用のポンプである。ポンプ２−１〜２−Ｍは、水源１−１〜１−Ｍのうち対応する水源から取水して配水池３に送水する。ここで、ポンプ２−１〜２−Ｍの運転は、オペレータの手動操作や、配水池水位に応じた運転など、予め設定された運転計画に基づく自動制御によって管理される。
【００１０】
なお、取水システム１００が備えるポンプ２の数は水源１の数と異なってもよいし、１つの水源１に対して複数のポンプ２が設けられてもよい。また、ポンプ２−１〜２−Ｍは、一定の出力で動作するものであってもよいし、インバータ等の制御により出力の大きさを調整できるものであってもよい。ここでは、簡単のため、ポンプ２−１〜２−Ｍの出力の大きさは各ポンプのそれぞれで一定であるものとする。また、以下では簡単のため特に区別する必要がない場合、水源１−１〜１−Ｍを水源１と記載し、ポンプ２−１〜２−Ｍをポンプ２と記載する。
【００１１】
運転支援装置４は、ポンプ２の運転管理を支援するための情報（以下「支援情報」という。）を生成する機能を有する。具体的には、運転支援装置４は、各ポンプ２の運転状況を示す情報（以下「運転情報」という。）に基づいて支援情報を生成する。運転支援装置４は、生成した支援情報を表示装置５に表示させる。
【００１２】
図２は、第１の実施形態の運転支援装置４の機能構成の具体例を示すブロック図である。運転支援装置４は、バスで接続されたＣＰＵ（Central Processing Unit）やメモリや補助記憶装置などを備え、プログラムを実行する。運転支援装置４は、プログラムの実行によって運転データ記憶部４１、特性データ記憶部４２、運転データ取得部４３、特性データ生成部４４、電力原単位推定部４５及び支援データ出力部４６を備える装置として機能する。なお、運転支援装置４の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００１３】
運転データ記憶部４１及び特性データ記憶部４２は、磁気ハードディスク装置や半導体記憶装置などの記憶装置を用いて構成される。運転データ記憶部４１は運転データを記憶する。運転データは運転情報を含むデータである。特性データ記憶部４２は特性データを記憶する。特性データは、各ポンプ２の特性を示す情報（以下「特性情報」という。）を示すデータである。
【００１４】
運転データ取得部４３は、運転支援装置４を他の装置と通信可能に接続する通信インタフェースを含んで構成され、その通信インタフェースを介した通信により各ポンプ２の運転データを取得する。運転データ取得部４３は、取得した運転データを運転データ記憶部４１に記憶させる。このような運転データの取得が繰り返し実行されることにより、運転データ記憶部４１に運転データが蓄積される。
【００１５】
なお、運転データは、各ポンプ２の運転状況が適時に示されればどのような装置から取得されてもよい。例えば、運転データは各ポンプ２から直接的に取得されてもよいし、各ポンプ２の運転状況に関する事象を観測するセンサ等の装置から取得されてもよいし、各ポンプ２から運転データを取得する他の装置から取得されてもよい。
【００１６】
また、運転データ取得部４３は、運転データを取得する時点において、その時点での瞬時値を示す運転データを取得できることが望ましいが、ポンプ２に対する操作の頻度や制御周期等によってはある程度の遅延が許容される場合もある。そのような場合、運転データ取得部４３は、許容範囲内での時間遅れを伴う形で運転データを取得してもよい。
【００１７】
特性データ生成部４４は、運転データ記憶部４１に蓄積されている各ポンプ２の過去の運転データを用いて各ポンプ２の特性データを生成する。特性データは、各ポンプ２の電力原単位と、それに相関する物理量との関係性を示す情報であればどのような特性情報を示すものであってもよい。例えば、特性データ生成部４４は、電力原単位と吐出圧力との関係性を示す特性データを各ポンプ２ごとに取得する。特性データ生成部４４は、生成した特性データを特性データ記憶部４２に記憶させる。このような特性データの生成が運転データの取得に応じて繰り返し実行されることにより、特性データ記憶部４２に特性データが蓄積される。
【００１８】
電力原単位推定部４５は、特性データ記憶部４２に保持されている最新の特性データと、現在の運転データとに基づいて、各ポンプ２の現時点での電力原単位を推定する。電力原単位推定部４５は、各ポンプ２について推定された電力原単位の現在値を示すデータ（以下「推定データ」という。）を支援データ出力部４６に出力する。
【００１９】
支援データ出力部４６は、特性情報に基づいて支援情報を生成し、生成した支援情報を示すデータ（以下「支援データ」という。）を出力する機能を有する。ここで支援情報は、各ポンプ２の特性に関する情報であればどのような情報であってもよい。例えば、支援情報は、各ポンプ２の特性を示す特性情報そのものであってもよいし、特性情報の生成に用いられた情報や特性情報に基づいて取得された情報等を含んでもよい。例えば、支援情報は、電力原単位の現在値を推定するために用いられた特性情報や運転情報などを含んでもよい。
【００２０】
例えば、本実施形態では、支援データ出力部４６が、特性データに基づいて推定された各ポンプ２の電力原単位の現在値を表示させるためのデータを支援データとして生成する場合について説明する。この場合、支援データ出力部４６は、推定データによって示される電力原単位の現在値を所定の態様で表示する表示データに変換して表示装置５に出力する。これにより、各ポンプ２の電力原単位の現在値が支援情報として表示装置５に表示される。
【００２１】
なお、支援情報の表示は、支援情報の提供形態の一例であって、支援情報の提供形態はこれに限定されない。例えば、支援情報の提供は、その内容を表す音声の出力によって行われてもよいし、支援データの入出力又は送受信によって行われてもよい。
【００２２】
図３は、第１の実施形態の運転支援装置４が各ポンプ２の現在の電力原単位を推定し、その表示データを生成する処理の具体例を示すフローチャートである。まず、運転支援装置４において、運転データ取得部４３が各ポンプ２の運転データを取得する（ステップＳ１０１）。例えば、運転データ取得部４３は、所定の周期ごとに運転データの取得を行い、取得した運転データを運転データ記憶部４１に記憶させる。
【００２３】
続いて、特性データ生成部４４が、特性データの生成タイミングが到来したか否かを判定する（ステップＳ１０２）。ここで、特性データの生成タイミングは予め所定のタイミングに定められている。例えば、生成タイミングは、所定の周期ごとに到来するタイミングであってもよいし、運転データが取得されたタイミングであってもよい。生成タイミングが到来していない場合（ステップＳ１０２−ＮＯ）、特性データ生成部４４はステップＳ１０１に処理を戻す。この場合、生成タイミングが到来するまでの間、運転データ取得部４３によって運転データの取得が繰り返される。
【００２４】
一方、生成タイミングが到来した場合（ステップＳ１０２−ＹＥＳ）、特性データ生成部４４は、その時点で運転データ記憶部４１に蓄積されている過去の運転データを用いて特性データを生成し、生成した特性データを特性データ記憶部４２に記憶させる（ステップＳ１０３）。
【００２５】
例えば、特性データ生成部４４は、１ｍ３の水を送水するのに消費した電力量［ｋＷｈ］を各ポンプ２の電力原単位として算出する。この場合、特性データ生成部４４は、各ポンプ２が過去の所定期間において吐出した水の総量である総吐出量［ｍ３］と、その期間において各ポンプ２が消費した電力の総量である総電力量［ｋＷｈ］と、をその期間に取得された運転データに基づいて取得し、総電力量を総吐出量で除することにより、当該期間における各ポンプ２の電力原単位［ｋＷｈ／ｍ３］を算出する。この場合、過去の各時点における吐出流量［ｍ３／ｈ］及び駆動電力［ｋＷ］の測定値を少なくとも含む運転データが各ポンプ２ごとに取得されるとよい。
【００２６】
特性データ生成部４４は、このように算出した各時点における電力原単位の値を、各時点における吐出圧力の関数として各ポンプ２ごとに近似し、その近似式を一意に定めるパラメータを各ポンプ２の特性データとして特性データ記憶部４２に記憶させる。なお、電力原単位を吐出圧力の関数として近似する方法は、予め設定データとして特性データ生成部４４に記憶されているものとする。
【００２７】
続いて、電力原単位推定部４５が、電力原単位の推定タイミングが到来したか否かを判定する（ステップＳ１０４）。ここで、電力原単位の推定タイミングは予め所定のタイミングに定められている。例えば、推定タイミングは、所定の周期ごとに到来するタイミングであってもよいし、特性データが更新されたタイミングであってもよい。推定タイミングが到来していない場合（ステップＳ１０４−ＮＯ）、電力原単位推定部４５はステップＳ１０１に処理を戻す。この場合、推定タイミングが到来するまでの間、運転データ取得部４３及び特性データ生成部４４によって運転データの取得及び特性データの生成が繰り返される。
【００２８】
一方、推定タイミングが到来した場合（ステップＳ１０４−ＹＥＳ）、電力原単位推定部４５は、特性データ記憶部４２に記憶されている最新の特性データと、現在の運転データとに基づいて、各ポンプ２の電力原単位の現在値を推定する（ステップＳ１０５）。ここで、現在の運転データは直近で取得された運転データであってもよい。電力原単位推定部４５は、各ポンプ２について推定した電力原単位の現在値を示す推定データを支援データ出力部４６に出力する。
【００２９】
続いて、支援データ出力部４６が、電力原単位推定部４５が出力した推定データに基づいて表示データを生成し、生成した表示データを表示装置５に出力する（ステップＳ１０６）。
【００３０】
図４は、第１の実施形態において取得される特性情報の具体例を示す図である。図４は、１台のポンプ２に関して、その吐出圧力と電力原単位との関係性を特性情報とした例を示す。一般に、ポンプ２の電力原単位は、ポンプ２の吐出流量［ｍ３／ｈ］の範囲に応じて異なる範囲で変化することが知られている。図４は、このような性質を考慮して、吐出圧力と電力原単位との関係性を、吐出流量の範囲ごとに近似した例を示す。
【００３１】
このような特性情報を示す特性データを生成する場合、特性データ生成部４４は、各時点について算出した電力原単位の各値を、各時点における吐出流量［ｍ３／ｈ］の範囲に応じたグループに分類し、各グループごとに所属する電力原単位の値を吐出圧力を変数として近似すればよい。
【００３２】
このような特性情報を示す特性データが生成される場合、電力原単位推定部４５は、現在の運転データが示す現在の吐出圧力の値を図４に示される近似式に適用することで電力原単位の現在値を推定することができる。
【００３３】
なお、ここでは吐出圧力と電力原単位との関係性を特性情報とする例を示したが、上述のとおり、特性情報は電力原単位と、それに相関する物理量との関係性を示す情報であればどのような特性情報を示すものであってもよい。例えば、特性データ生成部４４は、電力原単位と吐出流量の関係性を示す特性データを生成してもよいし、ポンプ２に対応する配水池３の水位と電力原単位との関係性を示す特性データを生成してもよい。
【００３４】
また、電力原単位を表す関数（以下「原単位関数」という。）は、必ずしも１つの物理量を変数として近似される必要はなく、各ポンプ２の動作点（例えば、吐出圧力、吐出流量、駆動電力など）に関する複数の物理量を変数として近似されてもよい。また、原単位関数は、各ポンプ２の動作点に関する物理量以外の値を変数に含んでもよい。例えば、原単位関数は、各ポンプ２に対応する配水池３の水位や、各ポンプ２のオン・オフの状態、各ポンプ２の駆動時間等を示す値を変数に含んでもよい。
【００３５】
このように構成された第１の実施形態の運転支援装置４は、取水システム１００において用いられる各ポンプ２の特性データを随時更新することにより、各ポンプ２の電力原単位の現在値をより精度良く推定することができる。そして、運転支援装置４が、推定した電力原単位の現在値に関する情報を支援情報として提供することにより、ポンプの運転計画をより適切に支援することが可能となる。
【００３６】
具体的には、電力原単位に基づく特性情報がポンプ２の操作員に提供されることにより、操作員はよりエネルギー効率の高いポンプ２を選択して動作させることが可能になる。また、このような特性情報が、ポンプ２を自動制御する制御装置に提供されることにより、制御装置にエネルギー効率の高いポンプ２を優先的に選択して動作させるようにすることが可能になる。
【００３７】
また、一般に浅井戸取水井から取水するポンプは消費電力が小さく、深井戸取水井から取水するポンプは消費電力が大きくなる傾向にある。その一方で、深井戸取水井は浅井戸取水井よりも水質が良い傾向にあり、水源の深さと水質とはトレードオフの関係にあることが多い。そのため、従来は、水の需要量が多い日中には消費電力が小さい浅井戸取水井から取水するポンプ（以下「浅井戸ポンプ」という。）を多く稼働させ、水の需要量が少ない夜間には水質の良い深井戸取水井から取水するポンプ（以下「深井戸ポンプ」という。）を多く稼働させることで消費電力の削減を図る場合もあった。しかしながら、ポンプの特性は同じ浅井戸ポンプ同士又は深井戸ポンプ同士においても異なる場合が多い。そのため、従来は、浅井戸ポンプ同士又は深井戸ポンプ同士において必ずしも適切なポンプが選択されない場合があった。これに対して、第１の実施形態の運転支援装置４は、それぞれのポンプについて最新の特性情報を供給することができるため、より消費電力の無駄を少なくする運用の実現を支援することができる。
【００３８】
（第２の実施形態）
図５は、第２の実施形態の運転支援装置４ａの機能構成の具体例を示すブロック図である。運転支援装置４ａは、支援データ出力部４６に代えて支援データ出力部４６ａを備える点で第１の実施形態の運転支援装置４と異なる。運転支援装置４ａのその他の構成は第１の実施形態と同様のため、その他の同様の構成については図２と同じ符号を付すことによりここでの説明を省略する。
【００３９】
支援データ出力部４６ａは、第１の実施形態における支援データ出力部４６が有する機能に加え、各ポンプ２の特性情報をそれぞれの順位に応じた態様で表示させる表示データを生成する機能を有する。例えば、支援データ出力部４６ａは、推定データにより示される各ポンプ２の電力原単位の現在値が小さい順（すなわちエネルギー効率が高い）に順位付けを行い、順位の高いものを優先して表示する表示データを生成する。
【００４０】
図６は、第２の実施形態における支援情報の表示例を示す図である。ここでは、Ｍ台のポンプ２のうち、１位がポンプ２号機であり、２位がポンプ１号機であり、３位がポンプＭ号機である場合の表示の具体例を示す。例えば図６（Ａ）は、各ポンプ２について決定された順位を電力原単位のグラフに表示した例である。具体的には、図６（Ａ）において、各棒の上部に表示された括弧内の数値が対応するポンプ２について決定された順位を表している。また、例えば図６（Ｂ）は、各ポンプ２について決定された順位の順に電力原単位を並べて表示した例である。
【００４１】
このように構成された第２の実施形態の運転支援装置４ａは、推定した電力原単位の現在値に基づいて各ポンプ２の順位づけを行い、各ポンプ２について決定した順位を含む支援情報を出力する。このような構成を備えることにより、運転支援装置４ａはポンプ２の運転計画をより適切に支援することが可能となる。例えば、各ポンプ２の特性情報が電力原単位が小さい順に表示装置５に表示されることにより、操作員はエネルギー効率の高いポンプ２を容易に把握することが可能となる。
【００４２】
（第３の実施形態）
図７は、第３の実施形態の運転支援装置４ｂの機能構成の具体例を示すブロック図である。運転支援装置４ｂは、電力原単位推定部４５に代えて電力原単位推定部４５ｂを備える点、支援データ出力部４６に代えて支援データ出力部４６ｂを備える点で第１の実施形態の運転支援装置４と異なる。運転支援装置４ｂのその他の構成は第１の実施形態と同様のため、その他の同様の構成については図２と同じ符号を付すことによりここでの説明を省略する。
【００４３】
電力原単位推定部４５ｂは、各ポンプ２について電力原単位の現在値を推定する点では第１の実施形態における電力原単位推定部４５と同様であるが、取得した推定データを特性データ記憶部４２に記憶させる点で第１の実施形態における電力原単位推定部４５と異なる。このような推定データの取得が繰り返し実行されることにより、各ポンプ２の推定データが特性データ記憶部４２に蓄積される。
【００４４】
支援データ出力部４６ｂは、第１の実施形態における支援データ出力部４６が有する機能に加え、各ポンプ２の特性の変化に関する情報（以下「第２の特性情報」という。）を表示させる表示データを生成する機能を有する。例えば、支援データ出力部４６ｂは、次の図８に示す各グラフの表示データを生成する。
【００４５】
図８は、第３の実施形態における支援情報の表示例を示す図である。例えば図８（Ａ）は、ある１台のポンプ２（ここではポンプ１号機）の電力原単位の値を時系列に表示した例である。このような表示によれば、操作員は現在の電力原単位の値が過去の電力原単位の値と比べてどの程度変化したかを、過去のトレンドとともに視覚的に容易に把握することができる。また、このような表示を、複数のポンプ２について同時に行うことにより、操作員は各ポンプ２の特性の変化の妥当性を判断しやすくなる。
【００４６】
また、図８（Ｂ）は、ある１台のポンプ２（ここではポンプ１号機）の過去の基準時点における電力原単位の値を基準として電力原単位の変動量を時系列に表示した例である。すなわち過去の基準時点における変動量はゼロである。このような表示によれば、操作員は電力原単位の現在値が許容範囲内であるか否かを、過去のトレンドとともに視覚的に容易に把握することができる。この場合の許容範囲は、予め定められた所定値であってもよいし、過去の変動量の大きさに基づいて決定されてもよい。また、比較対象とする電力原単位の基準値を過去の基準時点における電力原単位の値とする代わりに、過去の所定期間における電力原単位の平均値を比較対象としてもよい。また、このような表示を、複数のポンプ２について同時に行うことにより、操作員は各ポンプ２の特性の変化の妥当性を判断しやすくなる。
【００４７】
また、図８（Ｃ）は、Ｍ台のポンプ２のうち、電力原単位の変動量が閾値を超えたポンプ２（要注意ポンプ）のみを時系列に表示した例である。このような表示によれば、操作員は、特性が大きく変化したポンプ２を容易に把握することができる。
【００４８】
このように構成された第３の実施形態の運転支援装置４ｂは、各ポンプ２の特性の変化に関する第２の特性情報を含む支援情報を出力することにより、ポンプ２の運転計画をより適切に支援することが可能となる。一般に、ポンプの電力原単位は、機器の異常や経年劣化等により大きく変化することが知られている。そのため、第２の特性情報が図８に例示したような態様で提供されることにより、操作員は機器の異常や経年劣化の度合い等を視覚的に容易に判断することが可能になる。
【００４９】
（変形例）
上記の各実施形態の運転支援装置が備える機能の一部又は全部は、浄水場や配水池等に備えられた既存の監視制御システムの一部として実現されてもよいし、監視制御システムから独立した専用の装置として実現されてもよい。また、上記の各実施形態の運転支援装置は、インターネット等の広域ネットワークを介して複数の取水システムに接続され、各取水システムに対して支援情報を提供するサーバ（いわゆるクラウドサーバ）として構成されてもよい。
【００５０】
各ポンプ２について推定される電力原単位には、各ポンプ２の運転に要した電力以外の電力量が含まれてもよい。例えば、各ポンプ２の電力原単位には、浄水場や配水池等の取水施設において他の機器が各ポンプ２と同じタイミングで消費した電力量（以下「他の電力量」という。）が含まれてもよい。例えば、他の電力量は、当該施設の照明機器や空調機器等によって消費された電力量であってもよい。この場合、他の電力量が施設全体の合計値として取得される場合には、他の電力量を稼働中のポンプ２の台数で按分した電力量が各ポンプ２の電力原単位に含まれてもよい。また、他の電力量が各ポンプ２のそれぞれに対応して消費される場合には、他の電力量は対応するポンプ２の電力原単位に含まれてもよい。
【００５１】
以上説明した少なくともひとつの実施形態によれば、過去に取得された運転データに基づいて複数のポンプのそれぞれについて電力原単位と運転データとの関係性を示す特性データを生成する特性データ生成部と、特性データと現在の運転データとに基づいて複数のポンプのそれぞれの電力原単位の現在値を推定する電力原単位推定部と、を持つことにより、ポンプの運転計画をより適切に支援することができる運転支援装置、運転支援方法、コンピュータプログラム及び取水システムを提供することができる。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１００…取水システム、１，１−１〜１−Ｍ…水源、２，２−１〜２−Ｍ…ポンプ、３…配水池、４，４ａ，４ｂ…運転支援装置、４１…運転データ記憶部、４２…特性データ記憶部、４３…運転データ取得部、４４…特性データ生成部、４５，４５ｂ…電力原単位推定部、４６，４６ａ，４６ｂ…支援データ出力部、５…表示装置
【図１】
2020144474.tif 000003
【図２】
2020144474.tif 000004
【図３】
2020144474.tif 000005
【図４】
2020144474.tif 000006
【図５】
2020144474.tif 000007
【図６】
2020144474.tif 000008
【図７】
2020144474.tif 000009
【図８】
2020144474.tif 000010